(57)【要約】【課題】読取り解像度が複数段階に亘って切替え可能な原稿読取り装置によって原稿の読取りを行うシステムにおいて、再読取り作業を必要とすることなく最初に指定した解像度よりも高い解像度の画像を得る。【解決手段】パソコンの制御部は、ユーザによる読取り解像度Ｘ（指定解像度）の入力が完了したと判断した後（Ｓ２でＹＥＳ）、スキャナ装置に制御信号を送信して１段階高い解像度（Ｘ＋１）による原稿の読取りを実行させ（Ｓ３）、記憶部に記憶する（Ｓ４）。さらに、制御部は、表示用の解像度ＹをＸに設定し（Ｓ５）、記憶部に記憶された画像データを１段階低い解像度Ｙの画像へ加工して表示部に表示する（Ｓ６）。ユーザは、表示された画像を採用するか否かを入力し、採用しない場合には（Ｓ７でＮＯ）、表示解像度がＸ＋１か否かを判断し（Ｓ９）、ＮＯであれば表示解像度Ｙを１段階高い解像度Ｘ＋１へ変更し（Ｓ１０）、当該解像度で表示する（Ｓ６）。【選択図】図２
2009049809.tif 000002
【特許請求の範囲】
【請求項１】
読取り解像度が複数段階に亘って切替え可能な原稿読取り装置と、該原稿読取り装置によって読取った画像を表示する画像表示装置と、を制御するコンピュータを、
ユーザが選択することによって前記原稿読取り装置による読取り解像度を指定する解像度入力手段、
前記解像度入力手段を用いてユーザが指定した解像度（以下、指定解像度という）よりも１段階以上高い解像度で前記原稿読取り装置に読取り動作を実行させる読取り実行手段、
前記読取り実行手段により指定解像度よりも高い解像度で前記原稿読取り装置によって読取られた画像を記憶する記憶手段、
前記記憶手段によって記憶された画像を読出し、この画像の解像度を前記指定解像度になるように低下させて前記画像表示装置に表示させる指定解像度表示手段、
ユーザが、前記画像表示装置に表示された画像を採用するか否かを入力可能な画像採否入力手段、及び
ユーザが、前記画像採否入力手段を用いて、指定解像度で表示された画像を採用しない旨を入力した場合に、前記記憶手段によって記憶された画像を読出し、この画像の解像度を前記指定解像度よりも１段階以上高い解像度になるようにして前記画像表示装置に表示させる高解像度表示制御手段、
として機能させるための画像情報処理プログラム。
【請求項２】
読取り解像度が複数段階に亘って切替え可能な原稿読取り装置と、該原稿読取り装置によって読取った画像を表示する画像表示装置と、を制御するコンピュータを、
ユーザが選択することによって前記原稿読取り装置による読取り解像度を指定する解像度入力手段、
前記解像度入力手段を用いてユーザが指定した解像度（以下、指定解像度という）よりも１段階以上高い解像度で前記原稿読取り装置に読取り動作を実行させる読取り実行手段、
前記読取り実行手段により指定解像度よりも高い解像度で前記原稿読取り装置によって読取られた画像を記憶する記憶手段、
前記記憶手段によって記憶された画像を読出し、この画像の解像度を前記指定解像度になるように低下させて前記画像表示装置に表示させる指定解像度表示手段、
ユーザが、前記画像表示装置に表示された画像を採用するか否かを入力可能な画像採否入力手段、及び
ユーザが、前記画像採否入力手段を用いて、指定解像度で表示された画像を採用しない旨を入力した場合に、前記記憶手段によって記憶された画像を読出し、この画像の解像度を前記指定解像度よりも１段階以上高い解像度になるようにして前記画像表示装置に表示させる高解像度表示制御手段、
として機能させるための画像情報処理プログラムを記録したコンピュータ読取り可能な記録媒体。
【請求項３】
読取り解像度が複数段階に亘って切替え可能な原稿読取り装置、画像表示装置、及び両装置を制御するコンピュータを備える画像情報処理システムであって、
ユーザが選択することによって前記原稿読取り装置による読取り解像度を指定する解像度入力手段と、
前記解像度入力手段を用いてユーザが指定した解像度（以下、指定解像度という）よりも１段階以上高い解像度で前記原稿読取り装置に読取り動作を実行させる読取り実行手段と、
前記読取り実行手段により指定解像度よりも高い解像度で前記原稿読取り装置によって読取られた画像を記憶する記憶手段と、
前記記憶手段によって記憶された画像を読出し、この画像の解像度を前記指定解像度になるように低下させて前記画像表示装置に表示させる指定解像度表示手段と、
ユーザが、前記画像表示装置に表示された画像を採用するか否かを入力可能な画像採否入力手段と、
ユーザが、前記画像採否入力手段を用いて、指定解像度で表示された画像を採用しない旨を入力した場合に、前記記憶手段によって記憶された画像を読出し、この画像の解像度を前記指定解像度よりも１段階以上高い解像度になるようにして前記画像表示装置に表示させる高解像度表示制御手段と、を備え、
ユーザが指定した解像度の画像を採用しないときの再読取り作業の手間を省くことができる画像情報処理システム。
【請求項４】
前記読取り実行手段は、
前記解像度入力手段を用いてユーザが指定した解像度（以下、指定解像度という）よりも２段階以上高い解像度で前記原稿読取り装置に読取り動作を実行させ、
前記高解像度表示制御手段は、
ユーザが、前記画像表示装置に表示された画像を採用しない旨を入力する度に、画像の解像度を前記指定解像度よりも１段階ずつ高い解像度になるように前記記憶手段から読出した画像を加工して前記画像表示装置に表示させる請求項３に記載の画像情報処理システム。
【発明の詳細な説明】
【技術分野】
【０００１】
本発明は、画像情報処理プログラム、画像情報処理プログラムを記録した記録媒体、及び画像情報処理システムに関する。
【背景技術】
【０００２】
従来から、原稿に記録された画像（文字、図形等）を読取ってディジタル情報として記憶媒体に記憶し、記憶した画像をユーザの操作に応じてパソコン、プリンタ等へ出力するスキャナ装置が知られている（例えば、特許文献１参照）。上記スキャナ装置は、スキャナ装置自体に操作パネルを備え、ユーザは該操作パネルを用いて読取り解像度、及びパソコン、プリンタ等への出力解像度を設定できるように構成され、種々の操作をパソコンからのみ行うスキャナ装置に比べて操作性が向上されている。
【０００３】
また、スキャナ装置によって読取られた画像データを記憶部に記憶しておき、濃度、解像度、読取り範囲等のパラメータを変更した画像が必要になったときには、該記憶部から読出した画像データに所定の加工を施して表示装置に表示するシステムが知られている（例えば、特許文献２参照）。
【特許文献１】特開２００４−２１４７７６号公報
【特許文献２】特開２００２−４４３１７号公報
【発明の開示】
【発明が解決しようとする課題】
【０００４】
ところでスキャナ装置によって原稿の読取りを行う場合には、ユーザは、原稿載置面のカバーを持ち上げ、原稿を原稿載置面上の所定の位置に姿勢が正しくなるように載置してカバーを閉じた後、スキャナ装置自体、又はそのスキャナ装置に接続されたパソコンから解像度等の読取り条件を入力した上で読取りを開始する操作を行わなければならず、手間と時間を要する作業になっている。上記作業は、原稿の自動給紙機構（ＡＤＦ）を備えるスキャナ装置の場合には、大幅に簡素化されるが、原稿をＡＤＦに挿入する作業等の用紙をハンドリングする作業は、どうしてもユーザ自身が行わなければならない。
【０００５】
従って、ユーザにとっては、同一原稿の読取り作業は１回で済むことが望ましいのであるが、スキャナ装置による読取り作業では、しばしば読取った画像の解像度が不足していることによる読取り作業のやり直しが行われる。上記解像度不足によるやり直しが比較的高い頻度で行われる理由としては次の点が考えられる。すなわち、読取り作業に要する時間のうち実際にスキャナ装置の読取りヘッドが原稿面をスキャンするために要する時間は、その読取りのために設定された読取り解像度に応じて増減し、読取り解像度が低い場合の方が短い時間で済むために、ユーザは一般的に読取り解像度を低く設定しがちであることに起因していると考えられる。特に、ユーザが当該スキャナ装置の扱いに慣れていない場合には、一度の操作で適正な解像度の設定を行うことは困難であり、往々にして解像度を低目に設定して結果的に読取り作業のやり直しを行わなければならない事態を招く場合が多いと考えられる。
【０００６】
なお、引用文献１及び２に記載された装置は、いずれもユーザが指定したとおりの読取り解像度で読取りを行い、読取った画像を記憶しておき、その後にユーザが新たに指定する解像度（読取り解像度と同一、又は低い解像度）で画像の表示を行うものであり、ユーザが当初指定した読取り解像度よりも高い解像度の画像表示を得られるものではないことから上記不具合を解消できるものではない。
【０００７】
そこで、本発明は、スキャナ装置等の原稿読取り装置によって原稿の読取りを行うシステムにおいて、ユーザが指定した解像度による読取りを行うことによって得られた画像の解像度が満足できるものではなかった場合に、ユーザによる原稿の挿入等の再読取り作業を必要とすることなく最初に指定した解像度よりも高い解像度の画像を得ることができる、画像情報処理プログラム、画像情報処理プログラムを記録した記録媒体、及び画像情報処理システムを提供することを目的とする。
【課題を解決するための手段】
【０００８】
上記目的を達成するために、請求項１の発明は、読取り解像度が複数段階に亘って切替え可能な原稿読取り装置と、該原稿読取り装置によって読取った画像を表示する画像表示装置と、を制御するコンピュータを、ユーザが選択することによって前記原稿読取り装置による読取り解像度を指定する解像度入力手段、前記解像度入力手段を用いてユーザが指定した解像度（以下、指定解像度という）よりも１段階以上高い解像度で前記原稿読取り装置に読取り動作を実行させる読取り実行手段、前記読取り実行手段により指定解像度よりも高い解像度で前記原稿読取り装置によって読取られた画像を記憶する記憶手段、前記記憶手段によって記憶された画像を読出し、この画像の解像度を前記指定解像度になるように低下させて前記画像表示装置に表示させる指定解像度表示手段、ユーザが、前記画像表示装置に表示された画像を採用するか否かを入力可能な画像採否入力手段、及びユーザが、前記画像採否入力手段を用いて、指定解像度で表示された画像を採用しない旨を入力した場合に、前記記憶手段によって記憶された画像を読出し、この画像の解像度を前記指定解像度よりも１段階以上高い解像度になるようにして前記画像表示装置に表示させる高解像度表示制御手段、として機能させるための画像情報処理プログラムである。
【０００９】
請求項２の発明は、読取り解像度が複数段階に亘って切替え可能な原稿読取り装置と、該原稿読取り装置によって読取った画像を表示する画像表示装置と、を制御するコンピュータを、ユーザが選択することによって前記原稿読取り装置による読取り解像度を指定する解像度入力手段、前記解像度入力手段を用いてユーザが指定した解像度（以下、指定解像度という）よりも１段階以上高い解像度で前記原稿読取り装置に読取り動作を実行させる読取り実行手段、前記読取り実行手段により指定解像度よりも高い解像度で前記原稿読取り装置によって読取られた画像を記憶する記憶手段、前記記憶手段によって記憶された画像を読出し、この画像の解像度を前記指定解像度になるように低下させて前記画像表示装置に表示させる指定解像度表示手段、ユーザが、前記画像表示装置に表示された画像を採用するか否かを入力可能な画像採否入力手段、及びユーザが、前記画像採否入力手段を用いて、指定解像度で表示された画像を採用しない旨を入力した場合に、前記記憶手段によって記憶された画像を読出し、この画像の解像度を前記指定解像度よりも１段階以上高い解像度になるようにして前記画像表示装置に表示させる高解像度表示制御手段、として機能させるための画像情報処理プログラムを記録したコンピュータ読取り可能な記録媒体である。
【００１０】
請求項３の発明は、読取り解像度が複数段階に亘って切替え可能な原稿読取り装置、画像表示装置、及び両装置を制御するコンピュータを備える画像情報処理システムであって、ユーザが選択することによって前記原稿読取り装置による読取り解像度を指定する解像度入力手段と、前記解像度入力手段を用いてユーザが指定した解像度（以下、指定解像度という）よりも１段階以上高い解像度で前記原稿読取り装置に読取り動作を実行させる読取り実行手段と、前記読取り実行手段により指定解像度よりも高い解像度で前記原稿読取り装置によって読取られた画像を記憶する記憶手段と、前記記憶手段によって記憶された画像を読出し、この画像の解像度を前記指定解像度になるように低下させて前記画像表示装置に表示させる指定解像度表示手段と、ユーザが、前記画像表示装置に表示された画像を採用するか否かを入力可能な画像採否入力手段と、ユーザが、前記画像採否入力手段を用いて、指定解像度で表示された画像を採用しない旨を入力した場合に、前記記憶手段によって記憶された画像を読出し、この画像の解像度を前記指定解像度よりも１段階以上高い解像度になるようにして前記画像表示装置に表示させる高解像度表示制御手段と、を備え、ユーザが指定した解像度の画像を採用しないときの再読取り作業の手間を省くことができる画像情報処理システムである。
【００１１】
請求項４の発明は、請求項３の発明において、前記読取り実行手段は、前記解像度入力手段を用いてユーザが指定した解像度（以下、指定解像度という）よりも２段階以上高い解像度で前記原稿読取り装置に読取り動作を実行させ、前記高解像度表示制御手段は、ユーザが、前記画像表示装置に表示された画像を採用しない旨を入力する度に、画像の解像度を前記指定解像度よりも１段階ずつ高い解像度になるように前記記憶手段から読出した画像を加工して前記画像表示装置に表示させるものである。
【発明の効果】
【００１２】
本発明によれば、スキャナ装置等の原稿読取り装置によって原稿の読取りを行うシステムにおいて、ユーザが指定した解像度よりも予め１段階以上高い解像度で読取りを行うので、ユーザが指定した解像度の画像が満足できるものではなかった場合に、ユーザによる原稿の挿入等の再読取り作業を必要とすることなく最初に指定した解像度よりも高い解像度の画像を得ることができる。
【発明を実施するための最良の形態】
【００１３】
以下、本発明の一実施形態について図面を参照して説明する。本実施形態の画像情報処理システム１は、図１に示されるように、原稿読取り装置としてのスキャナ装置２と、該スキャナ装置２に接続されたパソコン３とを備えている。
【００１４】
スキャナ装置２は、ユーザが挿入した原稿を読取り位置へ送る原稿送り部４と、ＣＩＳ（Ｃｏｎｔａｃｔ  Ｉｍａｇｅ  Ｓｅｎｓｏｒ）等のライン状読取り素子から構成される読取り部５と、原稿送り部４、読取り部５を制御する制御部６と、電源入切キー、読取り開始キー等のユーザがマニュアルで操作可能な操作部７と、種々の設定値等のデータを一時記憶する記憶部８と、パソコン３との通信を行うための通信部９と、を備える。なお、スキャナ装置２は、原稿送り部４を備えず、ユーザ自身が原稿を読取り部５の読取り位置に載置するフラットベッドタイプのものであってもよい。
【００１５】
制御部６はマイクロプロセッサから構成され、原稿送り部４による原稿を送るタイミングの制御、読取り部によって読取られた画像のパソコン３への送信制御、及びスキャナ装置２全体の制御を行う。本実施形態のスキャナ装置２は、読取り解像度が２００、４００、８００、１６００ｄｐｉの４段階に亘って切替え可能になっており、スキャナ装置２が単独で使用されるときには、ユーザが操作部７のアップダウンキー等を操作することによって読取り解像度を切替えることができ、スキャナ装置２がパソコン３に接続されて使用されるときには、パソコン３からの制御信号によって読取り解像度を切替えられるようになっている。
【００１６】
パソコン３は、マイクロプロセッサから構成される制御部１１と、スキャナ装置２との通信を行うための通信部１２と、スキャナ装置２によって読取られた画像を記憶するハードディスクから構成される大容量の記憶部１３と、キーボード、マウス等から構成される操作部１４と、ＣＲＴ、液晶パネル等の表示デバイスから構成される表示部１５とを備える。本発明に係る画像情報処理プログラムは、記憶部１３に記憶されており、ユーザがスキャナ装置２を使用して原稿の読取りを行うときには、該画像情報処理プログラムが記憶部１３から読出されて実行される。
【００１７】
次に、画像情報処理プログラムによって実行される原稿の読取り動作について、図２のフローチャートを参照して説明する。ユーザがパソコン３を起動して画像情報処理プログラムを実行させると、表示部１５にスキャナ装置２の操作画面が表示される（Ｓ１）。操作画面には、スキャナ装置２による読取り時の種々の条件（解像度、濃度、原稿サイズ等）を入力するための画面が含まれる。解像度を入力するための画面ＳＳの例を図３に示す。
【００１８】
ユーザは、操作部１４のキーボード、又はマウスを操作して具体的な解像度の数値（２００ｄｐｉ・・１６００ｄｐｉ）にチェックマークｍｓを付すことによって読取り解像度を選択する。本例では、読取り解像度として２００ｄｐｉが選択されている。ユーザによって選択された解像度（指定解像度）は、制御部１１のＲＡＭ（不図示）、又は記憶部１３に一時記憶される。なお、解像度の段階は、２００ｄｐｉが段階「１」であり、４００ｄｐｉ、８００ｄｐｉ、１６００ｄｐｉがそれぞれ段階「２」、「３」、「４」である。以後の説明において解像度Ｘ、Ｙは、上記の段階（１〜４のいずれか）を表わすものとする。
【００１９】
次に、制御部１１は、読取り解像度（Ｘ）の選択が完了しているか否かを判断し（Ｓ２）、選択が完了している場合（Ｓ２でＹＥＳ）、通信部９、１２を介してスキャナ装置２の制御部６に読取り解像度として（Ｘ＋１）の情報を送信すると共に、その解像度で読取りを実行させる（Ｓ３）。本例の場合には、ユーザは２００ｄｐｉ（Ｘ＝１）を選択したので、スキャナ装置は４００ｄｐｉ（Ｘ＋１＝２）で原稿の読取りを実行する。
【００２０】
読取り動作を終了したスキャナ装置２は、読取った画像データを通信部９、１２を介してパソコン３へ送信し、パソコン３の制御部１１は、該画像データを記憶部１３のハードディスクに記憶する（Ｓ４）。なお、Ｓ４においてスキャナ装置２から送信されてきた画像データが加工されることなくそのまま記憶される記憶部の領域を便宜上一時メモリと称する。
【００２１】
次に、制御部１１は、表示部１５に表示する画像（プレビュー表示）の解像度（Ｙ）を、ユーザが選択した読取り解像度（Ｘ）に設定する（Ｓ５）。本例では、Ｘ＝１（２００ｄｐｉ）であるので、プレビュー表示される画像の解像度は、Ｙ＝１（２００ｄｐｉ）である。
【００２２】
そして、制御部１１は、記憶部１３に記憶された画像データを読出して加工し、解像度を２００ｄｐｉ（Ｙ＝１）に低下させて表示部１５に表示する（Ｓ６）。ユーザは、ユーザ自身が指定した解像度（２００ｄｐｉ）通りの画像を表示部１５において確認することができる。
【００２３】
次に、制御部１１は、表示部１５に問合せの画面を表示して、ユーザがプレビュー表示を確認した結果、その画像（２００ｄｐｉの画像）を採用する意向か否かを判断する（Ｓ７）。問合せの画面ＱＳは、例えば図４に示されるように、問合せメッセージＭとＹｅｓ、Ｎｏの選択肢が表示され、ユーザが操作部１４を操作することによって選択肢のいずれかにチェックマークｍｋを付すように構成される。図４の例では、Ｙｅｓにチェックマークｍｋが付されて、ユーザがプレビュー表示された画像に対して満足し、その画像を採用する意向が示されている。
【００２４】
ユーザがプレビュー表示された画像を採用する旨を入力した場合（Ｓ７においてＹＥＳ）には、制御部１１は、プレビュー表示した画像のデータ（解像度：２００ｄｐｉ）を記憶部１３に格納する（Ｓ８）。ここで、プレビュー表示した画像のデータを記憶する記憶部１３の領域を便宜上保存メモリと称する。保存メモリに格納された画像は、その後、ユーザがパソコン３を操作することによって適宜に加工されたり、図示しないプリンタ、又は他のパソコンへ出力される。
【００２５】
ユーザがプレビュー表示された画像を採用しない旨を入力した場合（Ｓ７においてＮＯ）には、制御部１１は、プレビュー表示した画像の解像度ＹがＸ＋１に達しているか否かを判断し（Ｓ９）、達していない場合には（Ｓ９でＮＯ）、プレビュー表示する画像の解像度ＹをＸ＋１へ変更し（Ｓ１０）、達している場合には（Ｓ９でＹＥＳ）、一時メモリに記憶してある画像データを削除する（Ｓ１１）。
【００２６】
いま、プレビュー表示された画像の解像度Ｙは１であるので、２（＝Ｘ＋１）に達しておらず、Ｓ１０においてプレビュー表示する画像の解像度Ｙが２に変更される。そして、制御部１１は、再びＳ６に戻って一時メモリに記憶された画像データを読出し、読出し時の解像度２（４００ｄｐｉ）のまま表示部１５に表示する（Ｓ６）。従って、ユーザは、再読取り作業を行うことなく、短時間のうちに指定解像度よりも１段階高い解像度の画像を確認することができる。
【００２７】
なお、Ｓ７において、解像度が２に高められたプレビュー表示に対しても、ユーザが満足しない場合には（Ｓ７でＮＯ）、Ｓ９においてＹ＝Ｘ＋１（２＝１＋１）であると判断されて、一時メモリに記憶された画像データが削除されて（Ｓ１１）、終了となる。
【００２８】
以上のように、本実施形態の画像情報処理システム１では、ユーザが指定した解像度よりも１段階高い解像度で予め読取りを行うので、ユーザが、表示部１５に表示された指定解像度の画像を見て満足できるものではなかった場合に、パソコン３の問合せ画面ＱＳにおいてプレビュー表示された画像を採用しない旨を入力するだけで、原稿の挿入等の再読取り作業を行うことなく、直ちに１段階高い解像度の画像を見ることができる。従って、ユーザによる再読み取り作業の発生頻度を抑えることができ、読取り作業に要するトータルの時間を短縮することができる。
【００２９】
なお、再読取り作業の発生頻度をさらに抑えて原稿の挿入作業等の再読取り作業に要するユーザの手間を省くためには、ユーザが指定した解像度よりも予め２段階、又は３段階高い解像度で読取りを行うようにしてもよい。但し、この場合には、スキャナ装置２が行う読取り動作時間自体が長くなるので、トータルの読取り作業時間を短縮化するという効果は減殺される。ユーザが指定した解像度よりも２段階高い解像度で読取りを行う場合について、次に説明する。
【００３０】
ユーザが指定した解像度よりも予め２段階高い解像度で読取りを行う場合について、図５のフローチャートを参照して説明する。予め２段階高い解像度で読取りを行う処理工程（図５のフローチャート）は、予め１段階高い解像度で読取りを行う処理工程（図２のフローチャート）とほぼ同一であって、Ｓ１３、Ｓ１９、及びＳ２０が相違する。
【００３１】
具体的には、Ｓ１３において、パソコン３の制御部１１は、通信部９、１２を介してスキャナ装置２の制御部６に読取り解像度として（Ｘ＋２）の情報を送信すると共に、その解像度で読取りを実行させる（Ｓ１３）。前例の場合には、ユーザは２００ｄｐｉ（Ｘ＝１）を選択したので、スキャナ装置は８００ｄｐｉ（Ｘ＋２＝３）で原稿の読取りを実行する。
【００３２】
そして、Ｓ１７においてユーザがプレビュー表示された画像を採用しない旨を入力した場合（Ｓ１７においてＮＯ）には、制御部１１は、プレビュー表示した画像の解像度ＹがＸ＋２に達しているか否かを判断し（Ｓ１９）、達していない場合には（Ｓ１９でＮＯ）、プレビュー表示する画像の解像度Ｙを１段階上げる処理を行う（Ｓ２０）。従って、解像度を最初に１段階上げたプレビュー表示画像に対して、ユーザが再び採用しない旨の入力を行えば、解像度が２段階上げられた画像が直ちに表示部１５に表示される。
【００３３】
なお、上記実施形態ではパソコン３の記憶部１３に画像情報処理プログラムが記憶され、主にパソコン３側からスキャナ装置２を制御する構成であったが、スキャナ装置２自体がプレビュー表示を行うための表示部を備え、スキャナ装置２の記憶部８に画像情報処理プログラムが記憶されるように構成して、スキャナ装置２単独でも図２、又は図５に示した読取り処理を実行できるように構成してもよい。
【図面の簡単な説明】
【００３４】
【図１】本発明の一実施形態に係る画像情報処理システムの全体を示すブロック構成図。
【図２】同画像情報処理システムにおける読取り処理のフローチャート。
【図３】同画像情報処理システムにおけるユーザが読取り解像度を入力するための画面の一例を示す図。
【図４】同画像情報処理システムにおける表示部に表示された画像をユーザが採用するか否かを入力するための画面の一例を示す図。
【図５】同画像情報処理システムにおける読取り処理の変形例を示すフローチャート。
【符号の説明】
【００３５】
１  画像情報処理システム
２  スキャナ装置（原稿読取り装置）
１１  制御部（コンピュータ）
１３  記憶部（記憶手段）
１５  表示部（画像表示装置）
【図１】
2009049809.tif 000003
【図２】
2009049809.tif 000004
【図３】
2009049809.tif 000005
【図４】
2009049809.tif 000006
【図５】
2009049809.tif 000007